(57)【要約】【課題】本発明は、感光ドラムの内側を保持する保持手段を、感光ドラムに対して容易に着脱することができる電子写真式印刷装置を提供することにある。【解決手段】本発明は、感光ドラム１の引き出し側に位置するフランジ（４）に、前記感光ドラム１を内周面側から支持する保持手段（８，１０，１１）を設けると共に、この保持手段（８，１０，１１）を感光ドラム１の内面に対して進退させる進退機構（１３，１４，１５）を設けたのである。  そして、感光ドラム１の分解時には、進退機構を操作して保持手段と感光ドラムとの接触を解き、その後、保持手段を設けたフランジを感光ドラムから引き出すことで、保持手段は感光ドラムから容易に分解することができる。【選択図】図３
2008203425.tif 000002
【特許請求の範囲】
【請求項１】
光電性を有する円筒形の感光ドラムと、この感光ドラムの円筒形の一端側に係合し印刷装置の駆動軸に支持された第１のフランジと、前記感光ドラムの円筒形の他端側に係合し前記駆動軸に支持された第２のフランジとを備え、この第２のフランジを加締め手段を介して前記第１のフランジ側に加圧することで前記感光ドラムを前記駆動軸に同心的に固定した電子写真式印刷装置において、前記第２のフランジに、前記感光ドラムの内周面を保持しこの内周面に対して進退可能に構成された保持手段を設けたことを特徴とする電子写真式印刷装置。
【請求項２】
光電性を有する円筒形の感光ドラムと、この感光ドラムの円筒形の一端側に係合し印刷装置の駆動軸に支持された第１のフランジと、前記感光ドラムの円筒形の他端側に係合し前記駆動軸に支持された第２のフランジとを備え、この第２のフランジを加締め手段を介して前記第１のフランジ側に加圧することで前記感光ドラムを前記駆動軸に同心的に固定した電子写真式印刷装置において、前記第２のフランジに、前記感光ドラムの内周面を支持する保持手段を設けると共に、この保持手段を感光ドラムの内周面に対して進退させる進退機構を設けたことを特徴とする電子写真式印刷装置。
【請求項３】
前記保持手段は、前記感光ドラムの内周面側に弾性体を介して当接するように構成されていることを特徴とする請求項２記載の電子写真式印刷装置。
【請求項４】
前記保持手段は、前記感光ドラムの内周面側に当接する当接部材を有すると共に、この当接部材の前記感光ドラムへの当接力を調節する当接力調節手段が設けられていることを特徴とする請求項２又は３記載の電子写真式印刷装置。
【請求項５】
前記当接力調節手段は、前記弾性体の弾性力を調節するように構成されていることを特徴とする請求項４記載の電子写真式印刷装置。
【請求項６】
光電性を有する円筒形の感光ドラムと、この感光ドラムの円筒形の一端側に係合し印刷装置の駆動軸に支持された第１のフランジと、前記感光ドラムの円筒形の他端側に係合し前記駆動軸に支持された第２のフランジとを備え、この第２のフランジを加締め手段を介して前記第１のフランジ側に加圧することで前記感光ドラムを前記駆動軸に同心的に固定した電子写真式印刷装置において、前記第２のフランジに、前記感光ドラムの内周面を保持しこの内周面に対して進退可能に構成された保持手段を設けると共に、前記保持手段の進出により係合する係合部を前記感光ドラムの内周面側に設けたことを特徴とする電子写真式印刷装置。
【請求項７】
前記保持手段は、前記感光ドラムの内周面に対して進退可能なロッドを有し、前記感光ドラムの内周面には、前記ロッドの端部と係合する係合溝が形成されていることを特徴とする請求項６記載の電子写真式印刷装置。
【請求項８】
前記係合溝は、感光ドラムの内周面の全周に亘って形成されていることを特徴とする請求項７記載の電子写真式印刷装置。
【請求項９】
光電性を有する円筒形の感光ドラムと、この感光ドラムの円筒形の一端側に係合し印刷装置の駆動軸に支持された第１のフランジと、前記感光ドラムの円筒形の他端側に係合し前記駆動軸に支持された第２のフランジとを備え、この第２のフランジを加締め手段を介して前記第１のフランジ側に加圧することで前記感光ドラムを前記駆動軸に同心的に固定した電子写真式印刷装置において、前記第１のフランジは、前記感光ドラムの内周面を保持する外周部と前記感光ドラムの印刷装置側の端に係合する端部とを有し、前記第２のフランジは、前記駆動軸に支持される固定部と、この固定部から外径方向に延在し前記感光ドラムの内周面を保持する複数の保持腕と、この保持腕から感光ドラムの引出側に延在する連結部材と、この連結部材の延在端に形成され前記感光ドラムの内周面を保持する外周部及び前記感光ドラムの引出側の端に係合する端部とを有し、かつ、前記保持腕には、前記感光ドラムの内周面に対して進退するロッドと、このロッドの先端に設けた保持座と、前記ロッドを進退させる操作部とを設けたことを特徴とする電子写真式印刷装置。
【請求項１０】
前記保持座は、前記感光ドラムの内周面に当接時、弾性力を持って押圧されていることを特徴とする請求項９記載の電子写真式印刷装置。
【請求項１１】
前記第１のフランジの感光ドラムの内周面を保持する外周部と前記第２のフランジの感光ドラムの内周面を保持する外周部には、夫々感光ドラムの挟圧方向に大径となる円錐面が形成されていることを特徴とする請求項９記載の電子写真式印刷装置。
【発明の詳細な説明】
【技術分野】
【０００１】
本発明は、電子写真式印刷装置に係り、特に、感光ドラムの着脱機構を改善した電子写真式印刷装置に関する。
【背景技術】
【０００２】
通常、電子写真式印刷装置の感光ドラムは、例えば特許文献１に開示されているように、構成されている。この構成を図９及び図１０を用いて説明する。
【０００３】
感光ドラム１は、円筒形をなしており、その円筒形の一端側に印刷装置(図示せず)の駆動軸２の小径部２Ｓとの段差部に固定した第１のフランジ３の外周を係合している。一方、円筒形の他端側は、駆動軸２の小径部２Ｓに装着された第２のフランジ４と係合している。そして、小径部２Ｓの端部にねじ込んだナット等の加締め手段５を加締めることで、感光ドラム１は、第１のフランジ３と第２のフランジ４とによって挟圧保持されて駆動軸２に同心的に支持されることになる。尚、第１のフランジ３には、軸方向に延在し加締め時に第２のフランジに接近する位置に延在端部が位置する複数のリブ３Ｒが設けられており、このリブ３Ｒは、感光ドラム１を駆動軸２上から着脱するとき、周辺の機器に感光ドラム１が接触することがないように案内手段としての機能を持たせている。
【０００４】
このほか、感光ドラム１の変形を防止するために、感光ドラム１の内周面の周方向複数箇所に接触する保持手段６が装着されている。この保持手段６は、感光ドラム１へ接触する複数の接触部を有する２分割された保持片６Ａ，６Ｂと、これら保持片６Ａ，６Ｂをばね圧で感光ドラム１に接触させるためのばね部材（図示せず）を備えている。
【０００５】
【特許文献１】特表平２−５０２１３０号公報
【発明の開示】
【発明が解決しようとする課題】
【０００６】
上記背景技術に開示の電子写真式印刷装置は、既述のように、感光ドラムの内側には保持手段が存在し、感光ドラムの交換時には、保持手段ごと交換しているので、資源保護の観点から、保持手段の廃棄は無駄であった。
【０００７】
そこで、感光ドラムを交換する際、古い感光ドラムから保持手段を分解し、分解した保持手段を新しい感光ドラムに装着することで保持手段の再利用が行える。しかしながら、感光ドラムの交換は、エンドユーザがほとんど行っており、さらに、感光ドラムへの保持手段の着脱は特殊な工具を利用するために、いたずらに感光ドラムの交換時間を長引かせていた。
【０００８】
本発明の目的は、感光ドラムの内側を保持する保持手段を、感光ドラムに対して容易に着脱することができる電子写真式印刷装置を提供することにある。
【課題を解決するための手段】
【０００９】
本発明は上記目的を達成するために、感光ドラムの引き出し側に位置するフランジに、前記感光ドラムを内周面側から支持する保持手段を設けると共に、この保持手段を感光ドラムの内面に進退させる進退機構を設けたのである。
【発明の効果】
【００１０】
上述のように構成することで、感光ドラムの分解時には、進退機構を操作して保持手段と感光ドラムとの接触を解き、その後、保持手段を設けたフランジを感光ドラムから引き出すことで、保持手段はフランジと共に感光ドラムから容易に分解することができる。そして、感光ドラムの装着時には、逆の手順で操作することで、フランジと共に感光ドラムに保持手段を簡単に装着することができる。
【発明を実施するための最良の形態】
【００１１】
以下本発明による電子写真式印刷装置の一実施の形態を図１〜図６に基づいて説明する。
【００１２】
感光ドラム１は、円筒形をなしている。また、印刷装置(図示せず)には駆動軸２が軸支されており、この駆動軸２の感光ドラム１の引き出し側には小径部２Ｓが延在している。感光ドラム１の円筒形の一端側には、駆動軸２と小径部２Ｓとの段差部に固定した第１のフランジ３の外周が係合されている。詳しくは、第１のフランジ３には外周部３Ｓが形成されており、この外周部３Ｓが感光ドラム１の内周面に嵌合されて接触支持している。そして、外周部３Ｓの端部３Ｅが感光ドラム１の円筒形の端に全周に亘って係合し、感光ドラム１が駆動軸２の軸支側に移動しないようにしている。
【００１３】
一方、感光ドラム１の円筒形の他端側は、小径部２Ｓに軸方向のみに着脱可能に装着された第２のフランジ４と係合している。詳しくは、第２のフランジ４は、小径部２Ｓに軸方向のみに着脱可能に装着された固定部７と、この固定部７から外径方向に延在し感光ドラム１の内周面を保持する複数の保持腕８と、この保持腕８から感光ドラム１の引き出し側に延在する連結筒９と、この連結筒９の端部に形成され感光ドラム１の内周面に嵌合して接触支持する環状の外周部４Ｓ及び感光ドラム１の円筒形の端に全周に亘って係合する環状の端部４Ｅとで構成されている。尚、環状の外周部４Ｓ及び端部４Ｅは、連結筒９を経由せずに別腕を介して直接固定部７に連結するようにしてもよい。
【００１４】
そして、小径部２Ｓの端部にねじ込んだナット等の加締め手段５で固定部７を加締めることで、感光ドラム１は、第１のフランジ３と第２のフランジ４とによって挟圧保持されて駆動軸２に同心的に支持されることになる。
【００１５】
尚、第１のフランジ３には、軸方向に延在し加締め時に第２のフランジに接近する位置に延在端部が位置する複数のリブ３Ｒが設けられており、このリブ３Ｒは、感光ドラム１を駆動軸２上から着脱するとき、周辺の機器に感光ドラム１が接触することがないように案内手段としての機能を持たせている。
【００１６】
ところで、感光ドラム１に嵌合される第１のフランジ３の外周部３Ｓ及び第２のフランジ４の外周部４Ｓは、円錐面を形成して嵌合時に、云い代えれば、加締め手段５による第１のフランジ３と第２のフランジ４との挟圧時に、感光ドラム１との間に隙間が発生しないようにし、隙間の発生による感光ドラム１の偏心により印刷品質の低下を防止することが大切である。
【００１７】
また、保持腕８は、外径方向に進退可能に保持されたロッド１０を内蔵し、このロッド１０の先端に保持座１１を設けている。保持座１１の感光ドラム１の内周面と接触する側には、感光ドラム１の保持を確実にするために、ゴム材等からなる摩擦部材１２が設けられている。また、保持座１１による保持力を調整するために、ロッド１０の周囲に引張ばね１３が装着されており、この引張ばね１３の引張力を調整するために、偏心カム１４と、この偏心カム１４を回動させるハンドル１５を保持腕８に備えている。尚、偏心カム１４は、ロッド１０を感光ドラム１に対して進退させる機能も有している。ここで、保持座１１は、本発明による感光ドラムの内周面側に当接する当接部材に該当する。そして、偏心カム１４が当接部材の感光ドラムへの当接力を調節する当接力調節手段となる。
【００１８】
ここで、保持腕８とロッド１０と保持座１１とが本発明の保持手段を構成し、偏心カム１４とハンドル１５とが本発明による保持手段を感光ドラムの内周面に対して進退させる進退機構を構成する。
【００１９】
次に、感光ドラム１の交換作業を説明する。
【００２０】
いま、印刷装置内に装着された感光ドラム１は、図１に示すように、第１のフランジ３と第２のフランジ４との挟圧力によって駆動軸２上に保持されている。このとき、保持腕８は、図５に示すように、保持座１１を引っ張りばね１３の引張力に逆らって偏心カム１４によって感光ドラム１の内周面に押圧させている。この状態から感光ドラムを印刷装置外に取外す場合には、まず、図１に示す状態から、加締め手段５を緩めて取外した後、第１のフランジ４を引っ張って引き出すことで、図２に示すように、感光ドラム１は第１のフランジ３のリブ３Ｒを案内として、周辺の機器と接触せずに印刷装置外に引き出すことができる。
【００２１】
その後、印刷装置外に引き出された感光ドラム１から第２のフランジ４を取外すのであるが、第２のフランジ４を取外す際には、第２のフランジ４を構成する連結筒９の開放側から手を入れて保持腕８に設けたハンドル１５を回転させる。このハンドル１５の回動により、図６に示すように、偏心カム１４によるロッド１０の押圧力を開放する。ロッド１０の押圧力が開放されることで、引張ばね１３の引張力によって保持座１１は感光ドラム１の内周面から引き離される。この状態で、第２のフランジ４を持って感光ドラム１内から引き出すことで、図３に示すように、保持腕８も同時に引き出すことができる。
【００２２】
その後、新しい感光ドラム１を印刷装置内に装着する場合には、図３に示す状態から図２に示すように、第２のフランジ４を新しい感光ドラム１の端部に係合させた状態で、保持腕８に設けたハンドル１５を回転させる。このハンドル１５の回動により、図６に示すように、感光ドラム１の内周面から離れた状態の保持座１１は、偏心カム１４によるロッド１０押圧力によって、図５に示すように、感光ドラム１側に変位し、保持座１１を感光ドラム１の内周面に押し付けることができる。このような作業を行うことで、第２のフランジ４は感光ドラム１の引き出し側端に固定される。
【００２３】
その後、第２のフランジ４を持って図２に示すように、感光ドラム１を第１のフランジ３のリブ３Ｒを案内として印刷装置内に装着し、装着後には小径部２Ｓに加締め手段５を装着して加締めることで、図１に示すように、感光ドラム１は第１のフランジ３及び第２のフランジ４の挟圧力をもって駆動軸２に同心的に固定されることになる。
【００２４】
ところで、ハンドル１５は回動させる角度を変えるによって、云い代えれば偏心カム１４の回動位置を変えることによって保持座１１を感光ドラム１の内周面への押圧力を加減することができる。
【００２５】
尚、上記実施の形態によれば、保持腕８に引張ばね１３を設けて、常時、保持座１１に感光ドラム１から引き離すような引張力を付与したものであるが、引張ばね１３に代えて圧縮ばねを用い、常時、保持座１１を感光ドラム１側へ押し付ける押圧力を付与するようにしてもよい。ただし、この場合には、ハンドル１５の回動範囲内に、ロッド１０を偏心カム１４によって感光ドラム１の内周面から離れる方向に引き戻す機構を設ける必要がある。したがって、前述の引張ばね１３または圧縮ばねが本発明による保持手段を感光ドラムの内周面側に当接する弾性体に該当する。
【００２６】
以上説明したように本実施の形態によれば、感光ドラム１と保持腕８とを着脱できるように構成し、その着脱も、ハンドル１５の簡単な回動操作によって行うことができるので、感光ドラム１毎に保持腕８を持たせる必要をなくすことができる。
【００２７】
ところで、感光ドラム１は、約５ｋｇ前後の重量があり、安全性の面からも着脱作業時においては、両手で確実に保持する必要がある。
【００２８】
そこで、図４に示すように、隣接する保持腕８に跨って、円弧状の作業ハンドル１６を設けることで、着脱作業がし易くなり、感光ドラム１の着脱時の取り扱い及び印刷装置から取外し後の取り扱いを安全に行うことができる。
【００２９】
以上の実施の形態では、保持座１１に摩擦部材１２を設けて、感光ドラム１の内周面に接触させたとき、ずれがないようにして保持を安定させたものであるが、その変形例として、摩擦部材１２を設ける代わりに、図７及び図８に示すように、ロッド１０が接触する感光ドラム１の内周面に係合溝１７を形成し、ロッド１０を係合溝１７に係合させるようにしてもよい。尚、感光ドラム１の周方向に対して第２のフランジ４の周方向の位置が特定されていない場合には、係合溝１７を、感光ドラム１の内周面の全周に亘って形成するものである。
【００３０】
さらに、ロッド１０の係合溝１７内への係合及び係合解除操作は、ハンドル１５の回動動作によりロッド１０を直接進退させて行うようにしてもよく、偏心カムなどを介して進退させるようにしてもよい。
【００３１】
上記変形例によっても、前記実施の形態とほぼ同じ操作によって同じ効果を奏することができる。
【図面の簡単な説明】
【００３２】
【図１】本発明による電子写真式印刷装置の一実施の形態を示す感光ドラムの縦断面図。
【図２】図１の感光ドラムの引き出し途中を示す縦断面図。
【図３】図１の感光ドラムから引き出し側のフランジを取外した状態を示す縦断面図。
【図４】図３のＡ−Ａ線に沿う断面図。
【図５】図１の感光ドラムの内周面に引き出し側のフランジを装着した状態を示す縦断面図。
【図６】図１の感光ドラムの内周面から引き出し側のフランジを取外す直前の状態を示す縦断面図。
【図７】図１の感光ドラムの内周面に引き出し側のフランジを装着した状態の変形例を示す縦断面図。
【図８】図７の腰部拡大図。
【図９】従来の感光ドラムを示す図１相当図。
【図１０】図９のＢ−Ｂ線に沿う断面図。
【符号の説明】
【００３３】
１…感光ドラム、２…駆動軸、２Ｓ…小径部、３…第１のフランジ、４…第２のフランジ、５…加締め手段、６…保持手段、７…固定部、８…保持腕、９…連結筒、１０…ロッド、１１…保持座、１２…摩擦部材、１３…引張ばね、１４…偏心カム、１５…ハンドル、１６…作業ハンドル、１７…係合溝。
【図１】
2008203425.tif 000003
【図２】
2008203425.tif 000004
【図３】
2008203425.tif 000005
【図４】
2008203425.tif 000006
【図５】
2008203425.tif 000007
【図６】
2008203425.tif 000008
【図７】
2008203425.tif 000009
【図８】
2008203425.tif 000010
【図９】
2008203425.tif 000011
【図１０】
2008203425.tif 000012